(57)【要約】      （修正有）【課題】広告主のブランドに対する広告執行による反応情報提供方法および反応情報提供システムを提供する。【解決手段】反応情報は、広告主のブランド露出程度、ブランド関連語、およびブランドに対する肯定／否定指数を含む。広告執行による反応情報提供方法は、広告主から広告主と関連する検索ブランドの入力を受けるステップと、所定の露出領域への検索ブランド露出程度を決定するステップと、露出領域から検索ブランドに対する関連語を抽出するステップと、抽出された関連語を用いて検索ブランドの肯定／否定指数を決定するステップとを含む。【選択図】図２
2008299842.tif 000002
【特許請求の範囲】
【請求項１】
広告主と関連する検索ブランドの入力を受けるステップと、
所定の露出領域への前記検索ブランドの露出程度を決定するステップと、
前記露出領域から前記検索ブランドに対する関連語を抽出するステップと、
前記抽出された関連語を用いて前記検索ブランドの肯定／否定指数を決定するステップと、
を含むことを特徴とする広告執行による反応情報提供方法。
【請求項２】
前記決定された露出程度を前記広告主に提供するステップと、
前記抽出された関連語を前記広告主に提供するステップと、
前記決定された肯定／否定指数を前記広告主に提供するステップと、
をさらに含むことを特徴とする請求項１に記載の広告執行による反応情報提供方法。
【請求項３】
露出程度を前記広告主に提供する前記ステップは、
前記露出程度をグラフ化して前記広告主に提供するステップ、
を含むことを特徴とする請求項２に記載の広告執行による反応情報提供方法。
【請求項４】
少なくとも１つのブランドを含むインデックスツリーを所定のデータベースに保持するステップ、
をさらに含むことを特徴とする請求項１に記載の広告執行による反応情報提供方法。
【請求項５】
インデックスツリーをデータベースに保持する前記ステップは、
少なくとも１つのブランドを対象として詳細製品群を区分するクラスタリングを進めるステップと、
前記クラスタリング結果に応じて前記ブランドに対するインデックスツリーを前記データベースに保持するステップと、
を含むことを特徴とする請求項４に記載の広告執行による反応情報提供方法。
【請求項６】
広告主と関連する検索ブランドの入力を受ける前記ステップは、
前記広告主から前記検索ブランドとして上位ブランドの入力を受けるステップと、
前記インデックスツリーデータベースを参照して、前記広告主に前記上位ブランドと関連する下位ブランドを提供するステップと、
前記提供に対応して前記広告主から選択された下位ブランドを前記検索ブランドに対する検索条件として入力を受けるステップと、
を含むことを特徴とする請求項４に記載の広告執行による反応情報提供方法。
【請求項７】
前記露出程度は、
前記露出領域に出現した前記検索ブランドの出現頻度数を含み、
露出領域への検索ブランド露出程度を決定する前記ステップは、
ニュース、知識検索、ブログ、およびグループのうちの少なくとも１つの領域で前記検索ブランドの露出程度を決定するステップ、
を含むことを特徴とする請求項１に記載の広告執行による反応情報提供方法。
【請求項８】
前記露出領域は、
ニュース、知識検索、ブログ、およびグループのうちの少なくとも１つであり、
露出領域から検索ブランドに対する関連語を抽出する前記ステップは、
前記検索ブランドを含む露出領域に登場した複数の単語それぞれの登場頻度数を決定するステップと、
前記検索ブランドによって予め決定されたフィルタリング基準によって前記複数の単語それぞれの関連度を決定するステップと、
前記登場頻度数および前記関連度のうちの少なくとも１つによって前記複数の単語から前記関連語を抽出するステップと、
を含むことを特徴とする請求項１に記載の広告執行による反応情報提供方法。
【請求項９】
露出領域から検索ブランドに対する関連語を抽出する前記ステップは、
前記露出領域の種類によって前記関連語の抽出のためのモジュールを決定するステップと、
前記決定されたモジュールによって前記関連語を抽出するステップと、
を含むことを特徴とする請求項１に記載の広告執行による反応情報提供方法。
【請求項１０】
抽出された関連語を用いて検索ブランドの肯定／否定指数を決定する前記ステップは、
価値判断が含まれた単語情報を含む価値判断データベースを保持するステップと、
前記価値判断データベースを参照して、前記抽出された関連語の肯定／否定指数を決定するステップと、
前記関連語の肯定／否定指数を用いて前記検索ブランドの肯定／否定指数を決定するステップと、
を含むことを特徴とする請求項１に記載の広告執行による反応情報提供方法。
【請求項１１】
前記価値判断データベースは、
少なくとも１つの単語それぞれに対してマッチングされた肯定／否定指数を含み、
価値判断データベースを参照して、抽出された関連語の肯定／否定指数を決定する前記ステップは、
前記価値判断データベースから前記関連語と関連する単語の肯定／否定指数を抽出して前記関連語の肯定／否定指数として決定するステップ、
を含み、
関連語の肯定／否定指数を用いて検索ブランドの肯定／否定指数を決定する前記ステップは、
前記検索ブランドに対する複数の関連語の肯定／否定指数の合計を前記検索ブランドの肯定／否定指数として決定するステップ、
を含むことを特徴とする請求項１０に記載の広告執行による反応情報提供方法。
【請求項１２】
前記肯定／否定指数は、
前記肯定指数は正数であり、前記否定指数は負数であることを特徴とする請求項１１に記載の広告執行による反応情報提供方法。
【請求項１３】
前記広告主から前記検索ブランドと関連する期間の入力を受けるステップ、
をさらに含むことを特徴とする請求項１に記載の広告執行による反応情報提供方法。
【請求項１４】
前記露出程度の決定、前記関連語の抽出、および前記検索ブランドの肯定／否定指数の決定のうちの少なくとも１つは、前記期間によってなされることを特徴とする請求項１３に記載の広告執行による反応情報提供方法。
【請求項１５】
前記検索ブランドと関連する前記露出程度、前記関連語、および前記肯定／否定指数を時間軸によって区分して含む抽出対象情報データベースを保持するステップ、
をさらに含むことを特徴とする請求項１３に記載の広告執行による反応情報提供方法。
【請求項１６】
前記抽出対象情報データベースを参照して、前記広告主に前記入力された期間内の露出程度、関連語、および肯定／否定指数のうちの少なくとも１つを提供するステップ、
をさらに含むことを特徴とする請求項１５に記載の広告執行による反応情報提供方法。
【請求項１７】
所定の外部サーバに前記露出程度、関連語、および肯定／否定指数のうちの少なくとも１つを送信するステップと、
所定の外部サーバから前記露出程度、関連語、および肯定／否定指数のうちの少なくとも１つに対する評価情報を受信するステップと、
前記評価情報を参照して、前記露出程度、関連語、および肯定／否定指数のうちの少なくとも１つを更新するステップと、
をさらに含むことを特徴とする請求項１に記載の広告執行による反応情報提供方法。
【請求項１８】
前記検索ブランドと関連する広告計画情報を検索して前記広告主に露出するステップ、
をさらに含むことを特徴とする請求項１に記載の広告執行による反応情報提供方法。
【請求項１９】
前記広告計画情報は、
前記検索ブランドと関連して所定のデータベースに保持されることを特徴とする請求項１８に記載の広告執行による反応情報提供方法。
【請求項２０】
請求項１〜１９のうちのいずれか一項の方法をコンピュータに実行させるためのプログラムを記録したコンピュータ読み取り可能な記録媒体。
【請求項２１】
広告主と関連する検索ブランドの入力を受ける検索ブランド入力部と、
所定の露出領域への前記検索ブランドの露出程度を決定する露出程度決定部と、
前記露出領域から前記検索ブランドに対する関連語を抽出する関連語抽出部と、
前記抽出された関連語を用いて前記検索ブランドの肯定／否定指数を決定する肯定／否定指数決定部と、
を備えることを特徴とする広告執行による反応情報提供システム。
【請求項２２】
前記決定された露出程度をグラフ化して前記広告主に提供し、前記抽出された関連語を前記広告主に提供し、前記決定された肯定／否定指数を前記広告主に提供する提供部、
をさらに備えることを特徴とする請求項２１に記載の広告執行による反応情報提供システム。
【請求項２３】
少なくとも１つのブランドを含むインデックスツリーデータベースをさらに備え、
前記インデックスツリーデータベースは、
少なくとも１つのブランドを対象として詳細製品群を区分するクラスタリングを進め、前記クラスタリング結果に応じて前記ブランドに対するインデックスツリーを保持することを特徴とする請求項２１に記載の広告執行による反応情報提供システム。
【請求項２４】
前記検索ブランド入力部は、
前記広告主から前記検索ブランドとして上位ブランドの入力を受ける上位ブランド入力部と、
前記インデックスツリーデータベースを参照して、前記広告主に前記上位ブランドと関連する下位ブランドを提供する下位ブランド提供部と、
前記提供に対応して前記広告主から選択された下位ブランドを前記検索ブランドに対する検索条件として入力を受ける検索条件入力部と、
を備えることを特徴とする請求項２３に記載の広告執行による反応情報提供システム。
【請求項２５】
前記露出程度は、
前記露出領域に出現した前記検索ブランドの出現頻度数を含み、
前記露出程度決定部は、
ニュース、知識検索、ブログ、およびグループのうちの少なくとも１つの領域で前記検索ブランドの露出程度を決定することを特徴とする請求項２１に記載の広告執行による反応情報提供システム。
【請求項２６】
前記露出領域は、
ニュース、知識検索、ブログ、およびグループのうちの少なくとも１つであり、
前記関連語抽出部は、
前記検索ブランドを含む露出領域に登場した複数の単語それぞれの登場頻度数を決定する単語頻度数決定部と、
前記検索ブランドによって予め決定されたフィルタリング基準によって前記複数の単語それぞれの関連度を決定する単語関連度決定部と、
前記登場頻度数および前記関連度のうちの少なくとも１つによって前記複数の単語から前記関連語を抽出する比較抽出部と、
を備えることを特徴とする請求項２１に記載の広告執行による反応情報提供システム。
【請求項２７】
前記関連語抽出部は、
前記露出領域の種類によって前記関連語の抽出のためのモジュールを決定するモジュール決定部と、
前記決定されたモジュールによって前記関連語を抽出する抽出部と、
を備えることを特徴とする請求項２１に記載の広告執行による反応情報提供システム。
【請求項２８】
前記肯定／否定指数決定部は、
価値判断が含まれた単語情報を含む価値判断データベースと、
前記価値判断データベースを参照して、前記抽出された関連語の肯定／否定指数を決定する関連語指数決定部と、
前記関連語の肯定／否定指数を用いて前記検索ブランドの肯定／否定指数を決定する検索ブランド指数決定部と、
を備えることを特徴とする請求項２１に記載の広告執行による反応情報提供システム。
【請求項２９】
前記価値判断データベースは、
少なくとも１つの単語それぞれに対してマッチングされた肯定／否定指数を含み、
前記関連語指数決定部は、
前記価値判断データベースから前記関連語と関連する単語の肯定／否定指数を抽出して前記関連語の肯定／否定指数として決定し、
前記検索ブランド指数決定部は、
前記検索ブランドに対する複数の関連語の肯定／否定指数の合計を前記検索ブランドの肯定／否定指数として決定することを特徴とする請求項２８に記載の広告執行による反応情報提供システム。
【請求項３０】
前記広告主から前記検索ブランドと関連する期間の入力を受ける期間入力部、
をさらに備え、
前記露出程度の決定、前記関連語の抽出、および前記検索ブランドの肯定／否定指数の決定のうちの少なくとも１つは、前記期間によってなされることを特徴とする請求項２１に記載の広告執行による反応情報提供システム。
【請求項３１】
前記検索ブランドと関連する前記露出程度、前記関連語、および前記肯定／否定指数を時間軸によって区分して含む抽出対象情報データベースと、
前記抽出対象情報データベースを参照して、前記広告主に前記入力された期間内の露出程度、関連語、および肯定／否定指数のうちの少なくとも１つを提供する抽出対象情報提供部と、
をさらに備えることを特徴とする請求項３０に記載の広告執行による反応情報提供システム。
【発明の詳細な説明】
【技術分野】
【０００１】
本発明は、広告執行による反応情報提供方法およびシステムに関し、より詳細には、広告主と関連する統合広告活動に対する結果として、一般ユーザの統合広告活動に対する反応情報を広告主に提供する方法およびシステムに関するものである。
【背景技術】
【０００２】
インターネット網を含む多様なネットワーク通信網における広告は、すでに多様な形態で一般ユーザに提供されている。ネットワーク通信網を用いた広告の一例としては、キーワード広告、コンテクスト広告、およびコンテンツ広告などが存在する。これに伴い、通信網を用いた多様な広告により、広告代行会社として多様な検索ポータルサイトが発生するようになった。検索ポータルサイトとは、インターネットを用いた検索システムを介して一般ユーザがキーワードを入力することで、これに基づく情報を提供すると共に、これと関連する広告データを提供して広告効果を得るものである。
【０００３】
ただし、広告効果がどの程度であるのかを把握するための一般ユーザの反応情報を、広告主に提供する方法と関連して、技術的な必要性が求められている。これと関連して、最も話題となっている広告キーワードに対する露出程度およびクリック程度を示す単純な定量的情報を広告主に提供し、広告主がこれを参照して効率的な広告がなされるように広告キーワードを再選択するサービスを考慮することができる。
【発明の開示】
【発明が解決しようとする課題】
【０００４】
しかしながら、このようなサービスは、一般ユーザの大衆的な必要性を適切に反映しているとは言い難く、単純な数値のみを提供しているため、広告主が適切に判断するための情報としては質が十分でない。
【０００５】
したがって、広告主に有意味な反応情報を提供し、これによって広告の効果の極大化および広告に対する効率的な運営がなされるようにするための関連技術の開発が急がれている。
【０００６】
本発明は上述した問題点を解決するためになされたものであり、多様な露出領域に登場したブランドまたは商品の言及程度を提供し、ブランドまたは商品と共に言及された関連語を提供することを目的とする。
【０００７】
また、本発明は、ブランド、商品、または関連語の肯定／否定指数を提供し、広告主のブランドまたは商品と関連する広告計画情報を提供することを他の目的とする。
【０００８】
また、本発明は、広告主の上位ブランドを基準とし、その下で下位として派生し得る商品群と検索語の組み合わせを介して有意味な形態の定量的情報が導出されるように適切なクラスタリング方法を構造化することを他の目的とする。
【０００９】
また、本発明は、広告主のブランドと共に言及される関連語を抽出することにおいて、有意味な関連語が選出されるようにするフィルタリング基準を設けることを他の目的とする。
【００１０】
さらに、本発明は、広告主のブランドに対する広告執行による反応情報の信頼度を確保するためのモジュールを提供することを他の目的とする。
【課題を解決するための手段】
【００１１】
上述した目的を達成するために、本発明の一実施形態に係る広告執行による反応情報提供方法は、広告主から前記広告主と関連する検索ブランドの入力を受けるステップと、所定の露出領域への前記検索ブランド露出程度を決定するステップと、前記露出領域から前記検索ブランドに対する関連語を抽出するステップと、前記抽出された関連語を用いて前記検索ブランドの肯定／否定指数を決定するステップとを含む。
【００１２】
本発明の一側面によれば、広告執行による反応情報提供方法は、前記決定された露出程度を前記広告主に提供するステップと、前記抽出された関連語を前記広告主に提供するステップと、前記決定された肯定／否定指数を前記広告主に提供するステップとをさらに含む。
【００１３】
本発明の一側面によれば、広告執行による反応情報提供方法は、少なくとも１つのブランドを含むインデックスツリーを所定のデータベースに保持するステップをさらに含む。
【００１４】
本発明の一側面によれば、広告主から前記広告主と関連する検索ブランドの入力を受ける前記ステップは、前記広告主から前記検索ブランドとして上位ブランドの入力を受けるステップと、前記インデックスツリーデータベースを参照して、前記広告主に前記上位ブランドと関連する下位ブランドを提供するステップと、前記提供に対応して前記広告主から選択された下位ブランドを前記検索ブランドに対する検索条件として入力を受けるステップとを含む。
【００１５】
本発明の一側面によれば、露出領域から検索ブランドに対する関連語を抽出する前記ステップは、前記露出領域の種類によって前記関連語の抽出のためのモジュールを決定するステップと、前記決定されたモジュールによって前記関連語を抽出するステップとを含み、抽出された関連語を用いて検索ブランドの肯定／否定指数を決定する前記ステップは、価値判断が含まれた単語情報を含む価値判断データベースを保持するステップと、前記価値判断データベースを参照して、前記抽出された関連語の肯定／否定指数を決定するステップと、前記関連語の肯定／否定指数を用いて前記検索ブランドの肯定／否定指数を決定するステップとを含む。
【００１６】
本発明の一実施形態に係る広告執行による反応情報提供システムは、広告主から前記広告主と関連する検索ブランドの入力を受ける検索ブランド入力部と、所定の露出領域への前記検索ブランド露出程度を決定する露出程度決定部と、前記露出領域から前記検索ブランドに対する関連語を抽出する関連語抽出部と、前記抽出された関連語を用いて前記検索ブランドの肯定／否定指数を決定する肯定／否定指数決定部とを備える。
【００１７】
本発明の一側面によれば、広告執行による反応情報提供システムは、前記決定された露出程度を前記広告主に提供し、前記抽出された関連語を前記広告主に提供し、前記決定された肯定／否定指数を前記広告主に提供する提供部をさらに備える。
【発明の効果】
【００１８】
以上に詳述したように、本発明によれば、多様な露出領域に露出するブランドの露出頻度数、関連語、肯定／否定指数、および広告計画情報が、広告主に提供される。
【００１９】
また、本発明によれば、広告主のブランドに対する広告執行による有意味な反応情報が、広告主が入力した期間に対応して効率的に提供される。
【００２０】
また、本発明によれば、定量的／定性的情報が統合された値を介して総合的な比較が可能な数値が提供される。
【００２１】
さらに、本発明によれば、信頼性のある外部機関との強調によって、広告執行による反応情報が外部でも通用可能なように客観的に提供される。
【発明を実施するための最良の形態】
【００２２】
以下、添付の図面に基づき、本発明の好適な実施の形態を詳細に説明するが、以下の実施形態はあくまで一例であり、本発明がこれらの実施形態によって制限または限定されることはない。
【００２３】
図１は、本発明の一実施形態において、広告執行による反応情報提供方法およびシステムを概括的に示した図である。
【００２４】
図１に示すように、反応情報提供システム１１０は、広告主端末機１２０から、広告主と関連する検索ブランド（検索キーとなるブランド名や商品名）の入力を受ける。広告主は、検索ブランドに対する多様な広告を進行させることができるが、例えば、ネットワーク網でキーワード広告を含むインターネット広告を実行することができる。反応情報提供システム１１０は、広告主の検索ブランドに対する広告と関連する反応情報を広告主に提供することができる。反応情報提供システム１１０は、広告主に反応情報を提供するために、例えばインターネット、ＷＡＮ、ＬＡＮ等のネットワーク網を介して多様な露出領域１３１〜１３４を検索することができる。
【００２５】
一般ユーザは、グループ１３１、ブログ１３２、知識検索１３３、およびニュース１３４を含むサイトページに広告主のブランドを作成（例えば、ブランドに関するコンテンツの掲載など）することができ、ブランドに対する多様な意見を作成することができる。反応情報提供システム１１０は、作成されたブランドおよび意見を分析することで、広告主に提供する反応情報を決定することができる。反応情報提供システム１１０は、多様な露出領域１３１〜１３４に露出された広告主の検索ブランドの露出程度、検索ブランドと共に露出される関連語、および検索ブランドの肯定／否定指数を分析して広告主端末機１２０に提供することができる（図１における符合１２１参照）。広告主は、広告主端末機１２０を介した反応情報の提供を受けた後に、ブランドと関連する一般ユーザの反応を参酌した効率的な広告活動を実行することができる。
【００２６】
また、反応情報提供システム１１０は、反応情報を信頼性のある外部機関サーバ１４０に送信し、外部機関サーバ１４０から意見を受信して反応情報の客観性を保持することができる。
【００２７】
図２は、本発明の一実施形態において、広告執行による反応情報提供方法を示したフローチャートである。図２に示すように、広告執行による反応情報提供方法は、ステップＳ２１０〜ステップＳ２７０で実行することができる。
【００２８】
ステップＳ２１０で、広告執行による反応情報提供システムは、少なくとも１つのブランドを含むインデックスツリーを所定のデータベースに保持することができる。当該データベースは、例えば、反応情報提供システム１１０に備えることができるが、反応情報提供システム１１０と通信可能なサーバ等の外部機器に備えることもできることは言うまでもない。図２に示すように、ステップＳ２１０は、ステップＳ２１１〜ステップＳ２１２で実行することができる。
【００２９】
ステップＳ２１１で、広告執行による反応情報提供システムは、少なくとも１つのブランドを対象として詳細製品群を区分するクラスタリングを進めることができる。
【００３０】
より具体的に説明すれば、反応情報提供システムは、所定の数だけの主要広告主の会社名を基準として、その下で下位として派生し得る商品群と検索語との組み合わせを介し、有意味な形態の定量的情報が導出されるように適切なクラスタリング方法を構造化することができる。例えば、反応情報提供システムは、１００〜１０００のブランドを対象として詳細な製品群を区分するクラスタリングを進め、これをツリーで実現することができ、予め決定されたクラスタリングブランドを拡張したり縮小したりしてインデックスツリーを修正することができる。このような修正によって、反応情報提供システムは、広告主により一層有意味な定量的情報を提供することができる。
【００３１】
また、反応情報提供システムは、広告主が入力する検索ブランドに対応する下位ブランドをツリーの形態で広告主に提供することができる。広告主は広告主端末１２０にて画面表示されるインターフェース画面上でチェックボックスをチェック等することにより、広告主の下位ブランドに対する選択としてＡＮＤ／ＮＯＴ条件で結果内に含ませるか否かを決定することができる。
【００３２】
ステップＳ２１２で、広告執行による反応情報提供システムは、クラスタリング結果に応じて、ブランドに対するインデックスツリーをデータベースに保持することができる。ステップＳ２１１を介して決定されたインデックスツリーを所定のデータベースに保持し、インデックスツリーを広告主に提供することができ、インデックスツリーを修正することができる。
【００３３】
ステップＳ２２０で、広告執行による反応情報提供システムは、広告主から、広告主と関連する検索ブランドの入力を受けることができる。図２に示すように、ステップＳ２２０は、ステップＳ２２１〜ステップＳ２２３で実行することができる。
【００３４】
ステップＳ２２１で、広告執行による反応情報提供システムは、広告主から検索ブランドとして上位ブランドの入力を受けることができる。
【００３５】
上位ブランドは、広告主の会社名であり得るし、広告主の代表ブランドを意味することができる。さらに、上位ブランドは、会社名または代表ブランドを基準としてその下位に派生したブランドであり得る。すなわち、広告主が反応情報提供システムに１次的に入力した検索ブランドを意味することができる。
【００３６】
ステップＳ２２２で、広告執行による反応情報提供システムは、インデックスツリーデータベースを参照して、広告主に、上位ブランドと関連する下位ブランドを提供することができる。
【００３７】
言い換えれば、反応情報提供システムは、広告主が入力した上位ブランドと関連する下位ブランドをインデックスツリーデータベースから抽出して広告主に提供することができる。これは、広告主から下位ブランドのうち上位ブランドと共に検索条件として追加する下位ブランドの選択を受けるために提供するものである。
【００３８】
ステップＳ２２３で、広告執行による反応情報提供システムは、提供に対応して広告主により選択された下位ブランドを、検索ブランドに対する検索条件として入力されることができる。
【００３９】
反応情報提供システムは、上位ブランドと共に下位ブランドをＡＮＤ／ＮＯＴ条件として結果内に含むことができる。すなわち、反応情報提供システムは、広告主から選択を受けた下位ブランドを上位ブランドと共に検索ブランドとして含むことができる。反応情報提供システムは、上位ブランドと下位ブランドを含む検索ブランドに対する露出程度、関連語、および肯定／否定指数を広告主に提供することができる。
【００４０】
ステップＳ２３０で、広告執行による反応情報提供システムは、所定の露出領域への検索ブランド露出程度を決定することができる。ここで、露出程度とは、例えば、露出領域に出現した検索ブランドの出現頻度数を意味することができる。また、広告執行による反応情報提供システムは、ニュース、知識検索、ブログ、およびグループのうちの少なくとも１つの領域で検索ブランドの露出程度を決定（判定）することができる。
【００４１】
反応情報提供システムは、サイトページに露出される検索ブランドの露出程度を決定することができる。ニュース、知識検索、ブログ、およびグループはサイトページの一例に過ぎず、露出程度はインターネット基盤の多様なサイトから決定することができる。反応情報提供システムは、露出程度を決定するためにウェブクローリングロボットを用いることができ、露出領域にリンク連結された下位ページの露出程度を共に考慮することができる。
【００４２】
ステップＳ２４０で、広告執行による反応情報提供システムは、露出領域から検索ブランドに対する関連語を抽出することができる。ここで、露出領域とは、例えば、ニュース、知識検索、ブログ、およびグループのうちのいずれか１つであると言える。また、図２に示すように、ステップＳ２４０は、ステップＳ２４１〜ステップＳ２４３で実行することができる。
【００４３】
ステップＳ２４１で、広告執行による反応情報提供システムは、検索ブランドを含む露出領域に登場した複数の単語それぞれの登場頻度数を決定することができる。
【００４４】
反応情報提供システムは、検索ブランドが露出（表示）される領域に検索ブランドと共に露出される単語の頻度数を決定することができる。言い換えれば、検索ブランドが露出されることができるニュース、知識検索、ブログ、およびグループに検索ブランドと共に露出される単語を抽出して単語の頻度数を決定することができる。例えば、反応情報提供システムは、ウェブクローリングによってニュースサイトページを抽出し、ニュースサイトページから広告主の検索ブランドを抽出した後に、ニュースサイトに含まれた単語を抽出することができる。また、反応情報提供システムは、抽出した単語の頻度数を決定することができる。単語の頻度数を決定する方法は、露出領域の種類によって多様に存在することができ、本発明は多様な頻度数決定方法すべてに権利範囲を及ぼす。
【００４５】
ステップＳ２４２で、広告執行による反応情報提供システムは、検索ブランドによって予め決定されているフィルタリング基準によって、複数の単語それぞれの関連度を決定することができる。反応情報提供システムは、ステップＳ２４１で決定した複数の単語それぞれの頻度数と共に、複数の単語の関連度を決定することができる。予め決定されたフィルタリング基準は、検索ブランドによって異ならせることができ、反応情報提供システムは、検索ブランドの属性や分野によってフィルタリング基準を異ならせることができる。
【００４６】
ステップＳ２４３で、広告執行による反応情報提供システムは、登場頻度数および関連度のうちの少なくとも１つによって、複数の単語から関連語を抽出することができる。
【００４７】
言い換えれば、反応情報提供システムは、登場頻度数を用いて関連語を決定することもできるし、所定のフィルタリング基準（例えば、後述のメモリ等に格納されている。）に基づき決定される関連度を用いて関連語を決定することもできる。さらに、反応情報提供システムは、頻度数および関連度すべてをそれぞれの単語に対して反映することで、関連語を決定することができる。
【００４８】
例えば、頻度数が高い単語に対して加重値を置いたり、関連度が高い単語に対して加重値を置いたりして、複数の単語のうちで加重値が最も高い単語を関連語として決定することができる。加重値は、検索ブランドの種類および検索ブランドが露出された領域に応じて異ならせて決定することができるし、関連語の決定時点に応じて異なるように適用することができる。また、検索ブランドと関連する関連語は、少なくとも１つ抽出されるようになる。
【００４９】
ステップＳ２５０で、広告執行による反応情報提供システムは、抽出された関連語に基づいて、検索ブランドの肯定指数および否定指数を決定することができる。
【００５０】
肯定／否定指数は、検索ブランドと関連する一般ユーザが検索ブランドに対して有することができる価値評価の程度を反映することができる。反応情報提供システムは、抽出した関連語を用いて、所定のルール（例えば、後述のメモリや価値判断データベース等に格納されている。）に基づいて、検索ブランドの肯定／否定指数を決定することができる。ここでの、関連語を用いた検索ブランドの肯定／否定指数の決定は、たとえば、単語自体が否定的意味を有する場合には否定指数を付与することができる。また、その単語自体の否定的意味合いが強い場合には、負の値の大きい否定指数を付与することもできる。また、検索ブランドと関連する関連語は、少なくとも１つ抽出することができる。このようなステップＳ２５０については、図４を参照しながらより詳細に説明する。
【００５１】
ステップＳ２６０で、広告執行による反応情報提供システムは、決定された露出程度を広告主に提供し、抽出された関連語を広告主に提供し、決定された肯定／否定指数を広告主に提供することができる。
【００５２】
特に、広告執行による反応情報提供システムは、露出程度をグラフ化して広告主に提供することができる（図６を参照）。さらに、反応情報提供システムは、露出程度、関連語、および肯定／否定指数が統合された値を介して、総合的な比較が可能な数値を提供することができる。このようなステップＳ２６０については、図６を参照しながらより詳細に説明する。
【００５３】
ステップＳ２７０で、広告執行による反応情報提供システムは、検索ブランドと関連する広告計画情報を検索して広告主に露出することができる。ここで、広告計画情報は、検索ブランドと関連して、例えば反応情報提供システム内に設けられる所定のデータベースに保持することができる。このようなステップＳ２７０の詳細および広告計画情報については、図６を参照しながら説明する。
【００５４】
また、本発明の一実施形態において、反応情報提供システムは、広告主から検索ブランドと関連する期間の入力を受け、ブランド露出程度決定、関連語の抽出、および検索ブランドの肯定／否定指数の決定のうちの少なくとも１つは、入力された期間によってなされることを特徴とすることができる。
【００５５】
言い換えれば、反応情報提供システムは、広告主が入力した期間によって反応情報を異ならせて決定して広告主に提供することができる。また、反応情報は、広告主が入力した期間内の露出程度、関連語、および肯定／否定指数を含むことができる。これにより、反応情報提供システムは、広告主に一定の期間内の反応情報を提供することができ、広告主は、期間別の反応情報を比較することで、効率的な広告実行を可能にすることができる。
【００５６】
本発明の一実施形態において、反応情報提供システムは、所定の外部サーバに露出程度、関連語、および肯定／否定指数のうちの少なくとも１つを送信し、所定の外部サーバから露出程度、関連語、および肯定／否定指数のうちの少なくとも１つに対する評価情報を受信し、評価情報を参照して露出程度、関連語、および肯定／否定指数のうちの少なくとも１つを更新することができる。
【００５７】
言い換えれば、反応情報提供システムは、信頼性のある外部機関が含むことができる外部機関サーバと反応情報および反応情報に対する評価情報を送受信することによって、反応情報の客観性を保持することができる。すなわち、反応情報提供システムで単独に反応情報を収集する場合には、相対的な比較が可能な内部指標となるため、客観性のために信頼性のある外部機関との協調が必要となる。外部機関サーバは、他の機関で運営するさらに他の反応情報提供システムであっても良いし、反応情報提供システムを補充する補助サーバであっても良い。
【００５８】
図３は、本発明の一実施形態において、検索ブランドに対する関連語抽出のステップを示したフローチャートである。図示したように、ステップＳ２４０は、ステップＳ３０１〜ステップＳ３０２で実行することができる。
【００５９】
ステップＳ３０１で、広告執行による反応情報提供システムは、露出領域の種類によって関連語の抽出のためのモジュールを決定することができる。例えば、ブログから関連語を抽出するために、反応情報提供システムは、ブログ単語に基づく関連語抽出モジュールを決定することができる。また、知識検索から関連語を抽出するために、入力クエリに対する関連クエリ抽出モジュールを決定することができる。すなわち、それぞれの露出領域に特化された関連語抽出モジュールを用いて、複数の単語それぞれの関連度を決定することができる。
【００６０】
ステップＳ３０２で、広告執行による反応情報提供システムは、決定されたモジュールによって関連語を抽出することができる。言い換えれば、反応情報提供システムは、それぞれの露出領域によって相違して決定されるモジュールを用いて関連語を抽出することができる。
【００６１】
図４は、本発明の一実施形態において、検索ブランドの肯定／否定指数決定のステップを示したフローチャートである。図４に示すように、ステップＳ２５０は、ステップＳ４０１〜ステップＳ４０３で実行することができる。
【００６２】
ステップＳ４０１で、広告執行による反応情報提供システムは、価値判断が含まれた単語情報を含む価値判断データベースを保持することができる。ここで、価値判断データベースは、少なくとも１つの単語それぞれに対してマッチングされた肯定／否定指数を含むことができる。また、例えば、肯定指数は正数であり、否定指数は負数であり得る。
【００６３】
反応情報提供システムは、肯定／否定による定性的概念を広告主に提供することによって、有意味な反応情報を提供することができる。反応情報提供システムは、肯定／否定指数を決定するために価値判断が含まれた単語のＰＯＯＬを形成してデータベースに保持することができる。また、反応情報提供システムは、時間を置いてデータベースのアップデートを持続的に進めることができる。さらに追加して、反応情報提供システムは、文字型処理のためのロジックを追加して、信頼度のある肯定／否定指数を抽出することができる基盤を設けることができる。
【００６４】
ステップＳ４０２で、広告執行による反応情報提供システムは、価値判断データベースを参照して、抽出された関連語の肯定／否定指数を決定することができる。
【００６５】
より具体的に説明すれば、反応情報提供システムは、価値判断データベースから関連語と関連する単語の肯定／否定指数を抽出して、関連語の肯定／否定指数として決定することができる。また、肯定指数は正数であり、否定指数は負数であり得る。
【００６６】
反応情報提供システムは、ステップＳ２４０で抽出した関連語を用いて検索ブランドの肯定／否定指数を決定することができる。例えば、反応情報提供システムは、価値判断データベースから抽出した関連語と同じである、もしくは関連度が高い単語の肯定／否定指数を抽出することができる。肯定指数はプラス値を有することができるし、否定指数はマイナス値を有することができる。関連語の肯定／否定指数は、抽出した単語の肯定／否定指数の合計で決定することができる。反応情報提供システムは、決定された関連語の肯定／否定指数の合計を検索ブランドの肯定／否定指数として決定することができる。
【００６７】
反応情報提供システムは、二重否定または肯定／否定の可否が適切になされていない文章における判断基準を含むことができ、露出領域によって相違して表れ得る肯定／否定指数に対する補正ロジックを含むことができる。
【００６８】
ステップＳ４０３で、広告執行による反応情報提供システムは、関連語の肯定／否定指数を用いて検索ブランドの肯定／否定指数を決定することができる。
【００６９】
より具体的に説明すれば、反応情報提供システムは、例えば、検索ブランドに対する複数の関連語の肯定／否定指数の合計を、検索ブランドの肯定／否定指数として決定することができる。ここで、肯定指数は正数であり、否定指数は負数であり得る。
【００７０】
上述したように、反応情報提供システムは、検索ブランドと関連する関連語の肯定／否定指数の合計を検索ブランドの肯定／否定指数として決定することができる。また、反応情報提供システムは、抽出された露出領域を相違する関連語それぞれに露出領域による加重値を適用して検索ブランドの肯定／否定指数を決定することができる。
【００７１】
図５は、本発明の一実施形態において、広告執行による反応情報提供方法を示したフローチャートである。図５に示すように、広告執行による反応情報提供方法は、ステップＳ５０１〜ステップＳ５０４で実行することができる。
【００７２】
ステップＳ５０１で、広告執行による反応情報提供システムは、検索ブランドと関連する露出程度、関連語、および肯定／否定指数を時間軸によって区分して保持する抽出対象情報データベースを保持することができる。
【００７３】
反応情報提供システムは、上述したように、露出程度、関連語、および肯定／否定指数を決定し、それぞれの値を時間によって区分して保存して更新する抽出対象情報データベースを保持することができる。これにより、広告主は、反応情報を閲覧するときに、該当する時間軸に合う情報を閲覧することができる。
【００７４】
ステップＳ５０２で、広告執行による反応情報提供システムは、広告主による広告主端末機１２０への操作入力に基づいて、広告主と関連する検索ブランドの入力を受けることができる。
【００７５】
上述したように、反応情報提供システムは、広告主から検索ブランドとして上位ブランドの入力を受け、インデックスツリーデータベースを参照して広告主に上位ブランドと関連する下位ブランドを提供し、提供に対応して広告主から選択された下位ブランドを検索ブランドに対する検索条件として入力を受けることができる。
【００７６】
ステップＳ５０３で、広告執行による反応情報提供システムは、広告主から、検索ブランドと関連する期間の入力を受けることができる。
【００７７】
言い換えれば、反応情報提供システムは、広告主が入力した期間によって反応情報を相違して決定して広告主に提供することができる。また、反応情報は、広告主が入力した期間内の露出程度、関連語、および肯定／否定指数を含むことができる。これにより、反応情報提供システムは、広告主に一定の期間内の反応情報を提供することができ、広告主は期間別の反応情報を比べることで、効率的な広告実行を可能にすることができる。
【００７８】
ステップＳ５０４で、広告執行による反応情報提供システムは、抽出対象情報データベースを参照して、広告主に入力された期間内の露出程度、関連語、および肯定／否定指数のうちの少なくとも１つを提供することができ、ブランド露出程度の決定、関連語の抽出、および検索ブランドの肯定／否定指数の決定のうちの少なくとも１つは、入力された期間によってなされるようになる。
【００７９】
すなわち、反応情報提供システムは、リアルタイム検索順位の場合のように、過去データをクリックすれば現在基準の検索ページが閲覧されるものではなく、分析当時の情報を保存してこれを閲覧することができるように、反応情報の累積期間と方式を設定することができる。例えば、反応情報提供システムは、１０００のブランド対象に対する抽出対象情報データベースを保持し、特定の期間内に抽出対象情報（露出程度、関連語、および肯定／否定指数を含む）を時間軸によって区分して閲覧できるようにする。
【００８０】
図６は、本発明の一実施形態において、広告執行による反応情報提供方法およびシステムによって広告主に提供される（例えば、広告主端末機１２０のディスプレイに画面表示される）露出画面の一例を示した図である。
【００８１】
反応情報提供システムは、広告主から、広告主と関連する検索ブランドとして上位ブランドの入力６０１を受け付けることができる。反応情報提供システムは、広告主に上位ブランドと関連する下位ブランド情報６０３をインデックスツリーデータベースから抽出して広告主に提供することができる。反応情報提供システムは、広告主から検索ブランドの検索条件として提供された下位ブランドのうちから選択された下位ブランドの入力を受けることができる。検索条件は、別途に保存することができる（図６における符合６０２を参照）。
【００８２】
また、反応情報提供システムは、広告主から検索ブランドと関連する期間の入力６０４を受けることができる。反応情報提供システムは、入力された検索ブランドおよび期間によって広告主に反応情報６０５を提供することができる。反応情報は、検索ブランドの露出程度、検索ブランドの関連語、関連語の肯定／否定指数、および検索ブランドの肯定／否定指数を含むことができる。さらに、反応情報提供システムは、検索ブランドと関連する広告計画情報６０６を広告主に提供することができる。
【００８３】
図７は、本発明の一実施形態において、広告執行による反応情報提供システムを示したブロック図である。図７に示すように、反応情報提供システム７００（図１における反応情報提供システム１１０に相当）は、インデックスツリーデータベース７１０と、検索ブランド入力部７２０と、露出程度決定部７３０と、関連語抽出部７４０と、肯定／否定指数決定部７５０と、提供部７６０と、広告計画情報露出部７７０と、不図示のＣＰＵおよびメモリを備えている。ここで、不図示のＣＰＵは、反応情報提供システム７００における各種処理を行う役割を有しており、また上記メモリに格納されているプログラムを実行することにより種々の機能を実現する役割も有している。当該メモリは、例えばＲＯＭ、ＲＡＭ、ＨＤＤ等から構成されており、反応情報提供システム７００において利用される種々の情報やプログラムを格納する役割を有している。
【００８４】
インデックスツリーデータベース７１０は、少なくとも１つのブランドを含むことができ、少なくとも１つのブランドを対象として詳細製品群を区分するクラスタリングを進め、クラスタリング結果に応じてブランドに対するインデックスツリーを保持することができる。
【００８５】
検索ブランド入力部７２０は、広告主から広告主と関連する検索ブランドの入力を受けることができる。図７に示すように、検索ブランド入力部７２０は、上位ブランド入力部７２１と、下位ブランド提供部７２２と、検索条件入力部７２３とを備えることができる。
【００８６】
上位ブランド入力部７２１は、広告主から検索ブランドとして上位ブランドの入力を受け、下位ブランド提供部７２２は、インデックスツリーデータベース７１０を参照して広告主に上位ブランドと関連する下位ブランドを提供し、検索条件入力部７２３は、提供に対応して広告主から選択された下位ブランドを検索ブランドに対する検索条件として入力を受けることができる。
【００８７】
露出程度決定部７３０は、所定の露出領域への検索ブランドの露出程度を決定することができる。露出程度は、露出領域に出現した検索ブランドの出現頻度数を意味することができ、これはグラフ化されて広告主に提供されるようになる（図６を参照）。露出程度決定部７３０は、ニュース、知識検索、ブログ、およびグループのうちの少なくとも１つの領域で検索ブランドの露出程度を決定することができる。
【００８８】
関連語抽出部７４０は、露出領域から検索ブランドに対する関連語を抽出することができる。ここで、露出領域は、ニュース、知識検索、ブログ、およびグループのうちのいずれか１つであると言える。
【００８９】
また、図７に示すように、関連語抽出部７４０は、単語頻度数決定部７４１と、単語関連度決定部７４２と、比較抽出部７４３とを備えることができる。
【００９０】
単語頻度数決定部７４１は、検索ブランドを含む露出領域に登場した複数の単語それぞれの登場頻度数を決定することができ、単語関連度決定部７４２は、検索ブランドによって予め決定されたフィルタリング基準によって複数の単語それぞれの関連度を決定することができ、比較抽出部７４３は、登場頻度数および関連度のうちの少なくとも１つによって複数の単語から関連語を抽出することができる。
【００９１】
本発明の一側面によれば、関連語抽出部７４０は、露出領域の種類によって関連語の抽出のためのモジュールを決定するモジュール決定部（図示せず）、および決定されたモジュールによって関連語を抽出する抽出部（図示せず）を備えることができる。
【００９２】
肯定／否定指数決定部７５０は、抽出された関連語を用いて検索ブランドの肯定／否定指数を決定することができる。図７に示すように、肯定／否定指数決定部７５０は、価値判断データベース７５１と、関連語指数決定部７５２と、検索ブランド指数決定部７５３とを備えることができる。
【００９３】
価値判断データベース７５１は、価値判断が含まれた単語情報を含むことができ、少なくとも１つの単語それぞれに対してマッチングされた肯定／否定指数を含むことができる。ここでは、価値判断データベース７５１が反応情報提供システム７００に一体的に備えられている構成を例示しているが、これに限られるものではなく、例えば、反応情報提供システム７００と通信可能に接続されている外部機器内に備えるようにすることもできる。
【００９４】
関連語指数決定部７５２は、価値判断データベース７５１を参照して抽出された関連語の肯定／否定指数を決定することができ、価値判断データベースから関連語と関連する単語の肯定／否定指数を抽出して関連語の肯定／否定指数として決定することができる。ここで、肯定／否定指数のうち、肯定指数は正数であり、否定指数は負数であり得る。
【００９５】
検索ブランド指数決定部７５３は、関連語の肯定／否定指数を用いて検索ブランドの肯定／否定指数を決定することができ、検索ブランドに対する複数の関連語の肯定／否定指数の合計を検索ブランドの肯定／否定指数として決定することができる。
【００９６】
提供部７６０は、決定された露出程度を広告主に提供し、抽出された関連語を広告主に提供し、決定された肯定／否定指数を広告主に提供することができる。
【００９７】
広告計画情報露出部７７０は、検索ブランドと関連する広告計画情報を検索して広告主に露出することができ、広告計画情報は、検索ブランドと関連して、反応情報提供システム７００もしくは反応情報提供システム７００と通信可能な外部機器に備えられた所定のデータベースに保持されることができる。
【００９８】
本発明の一実施形態において、広告執行による反応情報提供システム７００は、広告主から検索ブランドと関連する期間の入力を受ける期間入力部（図示せず）をさらに備えることができる。また、ブランド露出程度決定、関連語の抽出、および検索ブランドの肯定／否定指数の決定のうちの少なくとも１つは、入力された期間によってなされるようになる。
【００９９】
本発明の一実施形態において、広告執行による反応情報提供システム７００は、検索ブランドと関連する露出程度、関連語、および肯定／否定指数を時間軸によって区分して含む抽出対象情報データベースおよび抽出対象情報データベースを参照して、入力された期間内の露出程度、関連語、および肯定／否定指数のうちの少なくとも１つを広告主に提供する抽出対象情報提供部をさらに備えることができる。
【０１００】
本発明の一実施形態において、広告執行による反応情報提供システム７００は、所定の外部サーバに露出程度、関連語、および肯定／否定指数のうちの少なくとも１つを送信する外部サーバ送信部と、所定の外部サーバから露出程度、関連語、および肯定／否定指数のうちの少なくとも１つに対する評価情報を受信する評価情報受信部と、評価情報を参照して露出程度、関連語、および肯定／否定指数のうちの少なくとも１つを更新する更新部とをさらに備えることができる。
【０１０１】
また、上述の実施の形態では、説明の便宜上、本発明に係る反応情報提供システムを構成する各構成要素が、例えば１台の端末に備えられている構成を例に挙げて説明したが、結果として本発明に係る反応情報提供システム全体としての機能を実現できる構成であればよく、各構成要素の所在は問わない。よって、反応情報提供システムを構成する各構成要素が、互いに通信可能に接続されている複数の機器に分散して配置される構成とすることもできることは言うまでもない。
【０１０２】
なお、本発明に係る広告執行による反応情報提供方法は、コンピュータ（ＣＰＵ）により具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。なお、本実施の形態におけるプログラムには、実行モジュールが動的に生成されるプログラムを含むものとする。
【０１０３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【０１０４】
【図１】本発明の一実施形態において、広告執行による反応情報提供方法およびシステムを概括的に示した図である。
【図２】本発明の一実施形態において、広告執行による反応情報提供方法を示したフローチャートである。
【図３】本発明の一実施形態において、検索ブランドに対する関連語抽出のステップを示したフローチャートである。
【図４】本発明の一実施形態において、検索ブランドの肯定／否定指数決定のステップを示したフローチャートである。
【図５】本発明の一実施形態において、広告執行による反応情報提供方法を示したフローチャートである。
【図６】本発明の一実施形態において、広告執行による反応情報提供方法およびシステムによって広告主に提供される露出画面の一例を示した図である。
【図７】本発明の一実施形態において、広告執行による反応情報提供システムを示したブロック図である。
【符号の説明】
【０１０５】
１２０  広告主端末機
７００  反応情報提供システム
７１０  インデックスツリーデータベース
７２０  検索ブランド入力部
７３０  露出程度決定部
７４０  関連語抽出部
７５０  肯定／否定指数決定部
７６０  提供部
７７０  広告計画情報露出部
【図１】
2008299842.tif 000003
【図２】
2008299842.tif 000004
【図３】
2008299842.tif 000005
【図４】
2008299842.tif 000006
【図５】
2008299842.tif 000007
【図６】
2008299842.tif 000008
【図７】
2008299842.tif 000009